(57)【特許請求の範囲】
【請求項１】
同軸共振器を多段に接続して構成され、金属製のケースを備えるフィルタであって、
前記同軸共振器間にそれぞれ配置され、前記同軸共振器間の結合量を可変可能に結合することのできるコ字状に形成されている段間結合ループと、
軸方向に形成されている摺動孔内に前記段間結合ループの開放端が挿通されることにより、前記開放端を摺動可能に保持することができる金属製の摺動保持部と、
前記段間結合ループの前記開放端が摺動自在に保持されている一対の前記摺動保持部が固着されていると共に、固着された一対の前記摺動保持部の間隔がそれぞれ異ならせてある複数種類が用意されている金属製の基板とを備え、
前記ケースに形成されている切欠に、複数種類の内のいずれかの前記基板を、前記摺動保持部に保持されている前記段間結合ループを挿通させて、前記切欠が閉塞されるよう外側から前記ケースに固着することにより、前記段間結合ループが前記ケースに対して摺動自在に保持されると共に、前記ケースに前記段間結合ループが電気的に接続され、
一対の前記摺動保持部の間隔が異なる他の種類の前記基板に交換して前記ケースに固着することにより、前記同軸共振器間の結合量を調整することができると共に、前記段間結合ループにおける開放端を前記摺動保持部に対して前記ケースの外部から摺動させて、前記段間結合ループの前記ケース内における前記開放端の長さを変化させることにより、前記同軸共振器間の結合量が調整可能とされていることを特徴とするフィルタ。
【請求項２】
前記摺動孔が形成されている前記摺動保持部の一端に略軸方向にスリットが形成されて、該一端が弾性的に前記段間結合ループの前記開放端を保持しており、これにより前記段間結合ループの前記開放端が摺動可能に前記摺動保持部に保持されていることを特徴とする請求項１記載のフィルタ。
【請求項３】
複数種類の内のいずれかの前記基板を選択することにより、前記同軸共振器間に配置されている前記摺動保持部の間隔を、前記同軸共振器間毎に異ならせることが可能とされていることを特徴とする請求項１または２に記載のフィルタ。
【発明の詳細な説明】
【技術分野】
【０００１】
本発明は、同軸共振器を多段に接続したフィルタに関するものである。
【背景技術】
【０００２】
移動通信における基地局装置等においては、雑音除去やアンテナを共用して使用する際に通過帯域が広く減衰特性が急峻な帯域通過型フィルタが必要とされる。このような帯域通過型フィルタとして同軸共振器を多段に接続したフィルタが、従来から用いられている。
【発明の開示】
【発明が解決しようとする課題】
【０００３】
同軸共振器を多段に接続した帯域通過型フィルタにおいては、その電気的特性が通過帯域が広く減衰特性が急峻な特性とされるため、所望の電気的特性を得るためにフィルタの製造時に調整を行う必要があった。この調整は、同軸共振器における各段の共振周波数の調整や、段間の結合量の調整とされている。そして、段間の結合量の調整を行う際には、帯域通過型フィルタのケースから蓋を取り外して、段間の結合量を変更し、次いで、ケースに蓋を取り付けて所望の電気的特性が得られるかを検証するようにしている。このような作業を繰り返し行うことにより、所望の電気的特性を得るようにしているが、蓋の取り外しおよび取り付けは、それらを固着しているネジ数が多いことから繁雑な作業になるという問題点があった。
【０００４】
ここで、帯域通過型フィルタにおいて、段間の結合量を可変する従来の構成の一例を図７に示す。ただし、図７は帯域通過型フィルタのケースの前面および上部を省略して示している。
図７において、帯域通過型フィルタ１００を構成している１段目の同軸共振器は中心導体１０４ａを備え、２段目の同軸共振器は中心導体１０４ｂを備えている。１段目の同軸共振器と２段目の同軸共振器との間の壁部にスリット１０３が形成されている。このスリット１０３による漏れの電磁界により１段目の同軸共振器と２段目の同軸共振器とが電気的に結合されるようになる。１段目の同軸共振器と２段目の同軸共振器との結合量は、スリット１０３内に金属製の調整棒１０２を出し入れすることにより調整することができる。これにより、帯域通過型フィルタ１００の電気的特性を調整することができる。しかしながら、この調整構造では可変結合容量が少ないことのほか、調整棒１０２の長さが長くなると調整棒１０２の影響で高域に目的外の２次共振点が発生するようになり、伝送特性が劣化すると共に挿入損失が増加するという問題点があった。
【０００５】
次に、帯域通過型フィルタにおいて、段間の結合量を可変する従来の構成の他の例を図８に示す。ただし、図８は帯域通過型フィルタのケースの前面および上部を省略して示している。
図８において、帯域通過型フィルタ１１０を構成している１段目の同軸共振器は中心導体１１４ａを備え、２段目の同軸共振器は中心導体１１４ｂを備えている。１段目の同軸共振器と２段目の同軸共振器との間の壁部に窓１１３が形成されている。この窓１１３による漏れの電磁界により１段目の同軸共振器と２段目の同軸共振器とが電気的に結合されるようになる。１段目の同軸共振器と２段目の同軸共振器との結合量は、窓１１３の一部を金属製の調整板１１２で塞いで窓１１３のサイズを変えることにより調整することができる。これにより、帯域通過型フィルタ１１０の電気的特性を調整することができる。しかしながら、この調整構造では調整板１１２の位置を外部から調整することができないため、調整する毎にケース１１１から蓋を取り外して調整する必要があった。このため、調整作業が繁雑で長時間を要すると共に微調整が困難になると云う問題点があった。
【０００６】
次に、帯域通過型フィルタにおいて、段間の結合量を可変する従来の構成のさらに他の例を図９に示す。ただし、図９は帯域通過型フィルタのケースの前面および上部を省略して示している。
図９において、帯域通過型フィルタ１２０を構成している１段目の同軸共振器は中心導体１２４ａを備え、２段目の同軸共振器は中心導体１２４ｂを備えている。１段目の同軸共振器と２段目の同軸共振器との間の壁部に窓１２３が形成されている。この窓１２３による漏れの電磁界により１段目の同軸共振器と２段目の同軸共振器とが電気的に結合されるようになる。１段目の同軸共振器と２段目の同軸共振器との結合量は、窓１２３の一部を金属製の調整板１１２で塞いで窓１２３のサイズを変えることにより調整することができる。この場合、調整板１２２は一対の保持部材１２５で挟持されており、窓１２３が形成されている壁部に沿ってスライドできるようになる。これにより、帯域通過型フィルタ１２０の電気的特性を調整することができる。しかしながら、この調整構造では調整板１２２の位置を外部から調整することができるものの、調整板１２２をスライドさせるためにケース１２１に設けた切欠に隙間が生じ、この隙間から電磁界が漏洩して不要輻射が生じたり異物が混入するという問題点があった。また、調整板１２２のケース１２１内に位置する端部とケース１２１の壁部との接触状態が不安定であり、その接触抵抗が安定しがたいことから、特性劣化を招きやすいという問題点があった。
【０００７】
次に、帯域通過型フィルタにおいて、段間の結合量を可変する従来の構成のさらに他の例を図１０に示す。ただし、図１０は帯域通過型フィルタのケース１３１の前面および上部を省略して示している。
図１０において、帯域通過型フィルタ１３０を構成している１段目の同軸共振器は中心導体１３４ａを備え、２段目の同軸共振器は中心導体１３４ｂを備えている。１段目の同軸共振器と２段目の同軸共振器との間に結合ループ１３２が設けられている。この場合、１段目の同軸共振器と２段目の同軸共振器との間の壁部に貫通孔１３３が形成されており、この貫通孔１３３内に結合ループ１３２が挿通されている。中心導体１３４ａと結合ループ１３２とは磁界結合されるようになり、これにより結合ループ１３２に起電流が流れ、この起電流により２段目の同軸共振器内において磁界が発生することにより１段目の同軸共振器と２段目の同軸共振器とが結合ループ１３２により電気的に結合されるようになる。１段目の同軸共振器と２段目の同軸共振器との結合量は、結合ループ１３２のサイズを替えることにより調整することができる。しかしながら、この調整構造では結合ループ１３２のサイズを外部から調整することができないため、調整する毎にケース１３１から蓋を取り外して調整する必要があった。このため、調整作業が繁雑で長時間を要すると共に微調整が困難になると云う問題点があった。
【０００８】
次に、帯域通過型フィルタにおいて、段間の結合量を可変する従来の構成のさらに他の例を図１１に示す。ただし、図１１は帯域通過型フィルタのケース１４１の前面および上部を省略して示している。
図１１に示す帯域通過型フィルタ１４０は、図１０に示す調整構造を変形した調整構造を有しており、結合ループのサイズ変更を結合ループのアース点を変更することにより達成している。すなわち、帯域通過型フィルタ１４０を構成している１段目の同軸共振器は中心導体１４４ａを備え、２段目の同軸共振器は中心導体１４４ｂを備えている。１段目の同軸共振器と２段目の同軸共振器との間に結合ループ１４２が設けられている。この場合、１段目の同軸共振器と２段目の同軸共振器との間の壁部に貫通孔１４３が形成されており、この貫通孔１４３内に結合ループ１４２が挿通されている。１段目の同軸共振器と２段目の同軸共振器とが結合ループ１４２により電気的に結合される原理は、上述した通りである。１段目の同軸共振器と２段目の同軸共振器との結合量は、結合ループ１４２の貫通孔１４３と同一平面上のアース点を変えることにより調整することができる。しかしながら、この調整構造では結合ループ１４２のアース点を外部から調整することができないため、調整する毎にケース１４１から蓋を取り外して調整する必要があった。このため、調整作業が繁雑で長時間を要すると共に微調整が困難になると云う問題点があった。
【０００９】
このような図１１に示す調整構造を有する帯域通過型フィルタ１４０の調整後の電気的特性の一例を図１３に示す。
図１３には、帯域通過型フィルタ１４０の使用周波数帯域におけるＶＳＷＲ（電圧定在波比）と減衰量の周波数特性が示されている。図１３を参照すると、使用周波数帯域内において、ＶＳＷＲは約１．１５の値が得られており、減衰量はわずかな減衰量とされている。しかしながら、調整する毎にケース１４１から蓋を取り外して調整する必要があることから、調整時間には数時間を要するようになる。
【００１０】
次に、帯域通過型フィルタにおいて、段間の結合量を可変する従来の構成のさらに他の例を図１２に示す。ただし、図１２は帯域通過型フィルタのケースの前面および上面を解放して示している。
図１２に示す帯域通過型フィルタ１５０は、図１０に示す調整構造を変形した調整構造を有しており、結合ループのアース点を外部から変更可能としている。すなわち、帯域通過型フィルタ１５０を構成している１段目の同軸共振器は中心導体１５４ａを備え、２段目の同軸共振器は中心導体１５４ｂを備えている。１段目の同軸共振器と２段目の同軸共振器との間にアース点がケース１５１の底面に設けられている結合ループ１５２が設けられている。この場合、１段目の同軸共振器と２段目の同軸共振器との間の壁部に貫通孔１５３が形成されており、この貫通孔１５３内に結合ループ１５２が挿通されている。１段目の同軸共振器と２段目の同軸共振器とが結合ループ１５２により電気的に結合される原理は、上述した通りである。１段目の同軸共振器と２段目の同軸共振器との結合量は、結合ループ１５２の両端部に設けられている支持部材１５５をケース１５１の底面をスライドさせることにより調整することができる。しかしながら、この調整構造では結合ループ１５２のアース点を外部から調整することができるものの、結合ループ１５２をスライドさせるために設けた孔によりケース１５１に隙間が生じ、この隙間から電磁界が漏洩して不要輻射が生じたり異物が混入するという問題点があった。また、結合ループ１５２を変形させることにより結合量を調整していることから、その可変範囲が狭くなると共に結合ループ１５２に機械的ストレスがかかってしまうと云う問題点があった。
【００１１】
そこで、本発明は帯域通過型フィルタの従来の調整構造の問題点を解消することのできる調整構造を備えるフィルタを提供することを目的としている。
【課題を解決するための手段】
【００１２】
上記目的を達成するために、本発明のフィルタは、同軸共振器を多段に接続して構成され、金属製のケースを備えるフィルタであって、前記同軸共振器間にそれぞれ配置され、前記同軸共振器間の結合量を可変可能に結合することのできるコ字状に形成されている段間結合ループと、軸方向に形成されている摺動孔内に前記段間結合ループの開放端が挿通されることにより、前記開放端を摺動可能に保持することができる金属製の摺動保持部と、前記段間結合ループの前記開放端が摺動自在に保持されている一対の前記摺動保持部が固着されていると共に、固着された一対の前記摺動保持部の間隔がそれぞれ異ならせてある複数種類が用意されている金属製の基板とを備え、前記ケースに形成されている切欠に、複数種類の内のいずれかの前記基板を、前記摺動保持部に保持されている前記段間結合ループを挿通させて、前記切欠が閉塞されるよう外側から前記ケースに固着することにより、前記段間結合ループが前記ケースに対して摺動自在に保持されると共に、前記ケースに前記段間結合ループが電気的に接続され、一対の前記摺動保持部の間隔が異なる他の種類の前記基板に交換して前記ケースに固着することにより、前記同軸共振器間の結合量を調整することができると共に、前記段間結合ループにおける開放端を前記摺動保持部に対して前記ケースの外部から摺動させて、前記段間結合ループの前記ケース内における前記開放端の長さを変化させることにより、前記同軸共振器間の結合量が調整可能とされている。
【００１３】
また、上記本発明のフィルタにおいて、前記摺動保持部の軸方向に形成されている貫通孔内に前記段間結合ループの開放端が挿通されており、前記貫通孔が形成されている前記摺動保持部の一端に略軸方向にスリットが形成されて、該一端が弾性的に前記段間結合ループの解放端を保持しており、これにより前記段間結合ループの解放端が摺動可能に前記摺動保持部に保持されているようにしてもよい。
さらに、上記本発明のフィルタにおいて、複数種類の内のいずれかの前記基板を選択することにより、前記同軸共振器間に配置されている前記摺動保持部の間隔を、前記同軸共振器間毎に異ならせることが可能とされていてもよい。
【発明の効果】
【００１４】
このような本発明によれば、一対の摺動保持部の間隔が異なる他の種類の基板に交換することにより、同軸共振器間の結合量を調整すると共に、段間結合ループの開放端を摺動保持部に対して摺動させて、段間結合ループのケース内における長さを変化させることにより、同軸共振器間の結合量を調整可能としている。これにより、隣接する同軸共振器間の結合量を外部から調整することができ、所望の電気的特性を短時間の調整により得ることができると共に、広範囲に調整することができるようになる。この場合、摺動保持部の一端にスリットを形成することにより、段間結合ループのアース点の抵抗を安定化することができる。また、ケースに形成されている切欠は、金属製の基板により完全に閉塞されることから、切欠から電磁界が漏洩して不要輻射が生じたり異物が混入することを防止することができる。
【発明を実施するための最良の形態】
【００１５】
本発明の実施の形態の帯域通過型フィルタの構造を図１に断面図で、その外観を図２に示す。
これらの図に示すように、本発明にかかる帯域通過型フィルタ１は、同軸共振器を５段従属接続して構成されている。５段の同軸共振器のケース１０は、銅等の電気的特性の良好な金属板を加工して形成されている。１段目の同軸共振器は、略中央に中心導体１３ａが配置されており、中心導体１３ａの下端はケース１０の底面に固着されていると共にその上部が絶縁性のスペーサ１４ａにより略中央に位置するように保持されている。中心導体１３ａの先端には円板状の対向する一対の調整板１５ａの一方が備えられており、調整板１５ａの他方にはネジ部１６ａが設けられており、このネジ部１６ａがケース１０の上板に螺合している。このため、ネジ部１６ａを回転することにより、調整板１５ａ間の間隔が調整されて同軸共振器の共振周波数を調整することができる。以上の構成は、２段目ないし５段目の同軸共振器においても同様の構成とされている。
【００１６】
１段目の同軸共振器における中心導体１３ａに近接して一端がケース１２１にアースされている結合ループ１２が配置され、この磁界結合用の結合ループ１２の他端が入力端子１１に接続されている。これにより、入力端子１１から入力される信号が結合ループ１２を介して１段目の同軸共振器に供給される。また、５段目の同軸共振器における中心導体１３ｅに近接して一端がケース１２１にアースされている結合ループ１８が配置され、この磁界結合用の結合ループ１８の他端が出力端子１９に接続されている。これにより、結合ループ１８を介して帯域通過型フィルタ１の出力信号が出力端子１９から出力される。
【００１７】
帯域通過型フィルタ１の各段間の壁部にはスリットが形成されている。例えば、１段目の同軸共振器と２段目の同軸共振器との間の壁部には縦長のスリット２０ａが形成されており、４段目の同軸共振器と５段目の同軸共振器との間の壁部には縦長のスリット２０ｄが形成されている。各段間の壁部に形成されているスリット２０ａ〜２０ｄ内にコ字状に形成されている段間結合ループ１７ａ〜１７ｄの折曲部が挿通されている。これにより、中心導体１３ａと段間結合ループ１７ａとは磁界結合されて、これにより段間結合ループ１７ａに起電流が流れ、この起電流により２段目の同軸共振器内において磁界が発生することにより１段目の同軸共振器と２段目の同軸共振器とが段間結合ループ１７ａにより電気的に結合されるようになる。他の段間においても同様に段間結合ループ１７ｂ〜１７ｄにより電気的に結合される。１段目の同軸共振器と２段目の同軸共振器との結合量は、図２に示すように段間結合ループ１７ａを外部からスリット２０ａ内に出し入れすることにより調整することができる。他の段間においても同様に段間結合ループ１７ｂ〜１７ｄを外部からスリット２０ｂ〜２０ｄ内に出し入れすることにより調整することができる。これらの段間結合ループ１７ｂ〜１７ｄのアース点はケース１０の底板とされて、中心導体１３ａ〜１３ｅのアース点と同一の平面上とされている。
【００１８】
次に、図３に段間結合ループ１７をケース１０に取り付ける構成を示し、図４に段間結合ループ１７をケース１０に取り付けた構成を示す。ただし、図３，４においては５段の帯域通過型フィルタの内の２段の同軸共振器の構成を、前面および上部を省略して示す斜視図とされている。
図３，４に示すように、１段目の同軸共振器と２段目の同軸共振器との間の壁部には縦長のスリット２０ａが形成されており、ケース１０の底板には縦長の切欠２１が形成されている。また、コ字状の段間結合ループ１７ａの解放端は、基板３０に固着されている１対の摺動保持部３１ａ、３１ｂに、それぞれ摺動自在に保持されている。
【００１９】
ここで、摺動保持部３１の詳細構成を図５に示す。ただし、図５は摺動保持部３１の構成を示す半断面図とされている。
図５に示すように、摺動保持部３１には、その軸に沿って貫通する摺動孔３６が形成されている。摺動孔３６の上部には複数のスリット３２が形成されて、複数の保持片３３を有する構成とされている。複数の保持片３３は、図示されていないが保持片３３の上端がすぼまるように絞り加工されている。これにより、摺動孔３６に挿通された段間結合ループ１７ａ〜１７ｄは摺動保持部３１に安定して電気的に接続されると共に、摺動自在に確実に固着されるようになる。また、摺動保持部３１のほぼ中央部には鍔部３４が形成されており、鍔部３４の下部にはネジ部３５が形成されている。
【００２０】
摺動保持部３１は金属製とされているが、材質はベリリウム銅に代表されるバネ性の金属材料を用いるのが好適とされている。そして、摺動保持部３１の表面には金・銀・銅等の電気良導性のメッキ材によるメッキを施すのが好適である。ここで、摺動保持部３１におけるネジ部３５を基板３０に形成されている取付孔内に挿入すると、基板３０の上面に鍔部３４が当接するようになる。この状態において、基板３０の下面から突出しているネジ部３５にナットを螺着することにより、摺動保持部３１は基板３０に固着される。
【００２１】
図３，４に戻り、矩形状の基板３０に固着された一対の摺動保持部３１ａ，３１ｂに段間結合ループ１７の解放端をそれぞれ挿入し、その基板３０に固着されている段間結合ループ１７をケース１０の底面に形成されている切欠２１内に挿入し、基板３０をケース１０の底面に外側から固着する。この状態が図４に示す状態となり、スリット２０内に段間結合ループ１７が位置されるようになる。この段間結合ループ１７はケース１０の底板から下に突出している部分を手や工具で保持することにより、外部から段間結合ループ１７を帯域通過型フィルタ１のケース１０内に出し入れすることができるようになる。これにより、隣接する同軸共振器間の結合量を外部から調整することができ、所望の電気的特性を短時間の調整により得ることができるようになる。
【００２２】
この場合、段間結合ループ１７は摺動保持部３１ａ，３１ｂに電気的に安定して接続されてケース１０の底板にアースされることから、接触抵抗が安定し長期間にわたり電気特性を安定とすることができる。また、ケース１０の底板には切欠２１が形成されているが、この切欠２１は金属製の基板３０が固着された際に完全に閉塞されることから、切欠２１から電磁界が漏洩して不要輻射が生じたり異物が混入することを防止することができる。また、スリット２０は細長く形成されて段間結合ループ１７をケース１０に出し入れする機械的可変範囲が大きくされていることから、同軸共振器間の結合量の調整範囲を大きくすることができる。これにより、帯域通過型フィルタ１において段間結合ループ１７ａ〜１７ｄを調整することにより、所望の電気的特性を得ることができるようになる。そして、調整後においては、摺動保持部３１の金具と段間結合ループ１７の境界点をハンダ付けして固定し、余った段間結合ループ１７を切断することにより調整後の電気的特性を維持することができるようになる。
【００２３】
ここで、図１，２に示す本発明にかかる帯域通過型フィルタ１の調整後の電気的特性の一例を図６に示す。
図６には、帯域通過型フィルタ１の使用周波数帯域におけるＶＳＷＲ（電圧定在波比）と減衰量の周波数特性が示されている。図６を参照すると、使用周波数帯域内において、ＶＳＷＲは約１．０３の良好な値が得られており、減衰量はわずかな減衰量とされて良好な特性が得られている。そして、調整する毎にケース１０から蓋を取り外して調整する必要がなく、段間結合ループ１７ａ〜１７ｄにおけるアース点の接触抵抗が摺動保持部３１ａ，３１ｂにより安定な接触抵抗となることから、数分ないし１０数分のわずかな調整時間により調整が完了するようになる。
【００２４】
なお、一対の摺動保持部３１ａ，３１ｂの間隔を広くするほど、段間結合ループ１７と中心導体１３との距離が狭まるため、同軸共振器間の結合量が大きくなり、一対の摺動保持部３１ａ，３１ｂの間隔を狭くするほど結合量が小さくなる。そして、段間結合ループ１７を摺動自在に装着した一対の摺動保持部３１ａ，３１ｂが固着されている基板３０は、外部より容易に交換することが可能なので、一対の摺動保持部３１の間隔が異なる数種類の基板３０を用意して必要に応じて交換することにより、同軸共振器間の結合量をさらに広範囲に調整することができるようになる。また、段間結合ループ１７はコ字状に折曲して構成したが、これに限るものではなくＵ字状としたり多角形に折曲して構成するようにしてもよい。
【産業上の利用可能性】
【００２５】
以上説明したように本発明は、複数種類の内の他の基板に交換することにより、同軸共振器間の結合量を調整すると共に、段間結合ループの開放端を摺動保持部に対して摺動させて、段間結合ループのケース内における長さを変化させることにより、同軸共振器間の結合量を調整可能としている。これにより、隣接する同軸共振器間の結合量を外部から調整することができ、所望の電気的特性を短時間の調整により得ることができると共に、広範囲に調整することができるようになる。この場合、摺動保持部の一端にスリットを形成することにより、段間結合ループのアース点の抵抗を安定化することができる。また、ケースに形成されている切欠は、金属製の基板により完全に閉塞されることから、切欠から電磁界が漏洩して不要輻射が生じたり異物が混入することを防止することができる。
【図面の簡単な説明】
【００２６】
【図１】本発明の実施の形態の帯域通過型フィルタの構造を示す断面図である。
【図２】本発明の実施の形態の帯域通過型フィルタの構成を示す外観図である。
【図３】本発明の実施の形態の帯域通過型フィルタにおいて、段間結合ループをケースに取り付ける構成を示す斜視図である。
【図４】本発明の実施の形態の帯域通過型フィルタにおいて、段間結合ループをケースに取り付けた構成を示す斜視図である。
【図５】本発明の実施の形態の帯域通過型フィルタにおける摺動保持部の構成を示す図である。
【図６】本発明の実施の形態の帯域通過型フィルタにおける電気的特性の一例を示す図である。
【図７】従来の帯域通過型フィルタにおける構成の一例を示す斜視図である。
【図８】従来の帯域通過型フィルタにおける構成の他の一例を示す斜視図である。
【図９】従来の帯域通過型フィルタにおける構成の他の一例を示す斜視図である。
【図１０】従来の帯域通過型フィルタにおける構成の他の一例を示す斜視図である。
【図１１】従来の帯域通過型フィルタにおける構成の他の一例を示す斜視図である。
【図１２】従来の帯域通過型フィルタにおける構成の他の一例を示す斜視図である。
【図１３】従来の帯域通過型フィルタにおける電気的特性の一例を示す図である。
【符号の説明】
【００２７】
１  帯域通過型フィルタ、１０  ケース、１１  入力端子、１２  結合ループ、１３ａ  中心導体、１３ｅ  中心導体、１４ａ  スペーサ、１５ａ  調整板、１６ａ  ネジ部、１７  段間結合ループ、１７ａ  段間結合ループ、１７ｂ  段間結合ループ、１８  結合ループ、１９  出力端子、２０  スリット、２０ａ  スリット、２０ｄ  スリット、２１  切欠、３０  基板、３１  摺動保持部、３１ａ，３１ｂ  摺動保持部、３２  スリット、３３  保持片、３４  鍔部、３５  ネジ部、３６  摺動孔、１００  帯域通過型フィルタ、１０２  調整棒、１０３  スリット、１０４ａ  中心導体、１０４ｂ  中心導体、１１０  帯域通過型フィルタ、１１１  ケース、１１２  調整板、１１３  窓、１１４ａ  中心導体、１１４ｂ  中心導体、１２０  帯域通過型フィルタ、１２１  ケース、１２２  調整板、１２３  窓、１２４ａ  中心導体、１２４ｂ  中心導体、１２５  保持部材、１３０  帯域通過型フィルタ、１３１  ケース、１３２  結合ループ、１３３  貫通孔、１３４ａ  中心導体、１３４ｂ  中心導体、１４０  帯域通過型フィルタ、１４１  ケース、１４２  結合ループ、１４３  貫通孔、１４４ａ  中心導体、１４４ｂ  中心導体、１５０  帯域通過型フィルタ、１５１  ケース、１５２  結合ループ、１５３  貫通孔、１５４ａ  中心導体、１５４ｂ  中心導体、１５５  支持部材
【図１】
0004491001.tif 000002
【図２】
0004491001.tif 000003
【図３】
0004491001.tif 000004
【図４】
0004491001.tif 000005
【図５】
0004491001.tif 000006
【図６】
0004491001.tif 000007
【図７】
0004491001.tif 000008
【図８】
0004491001.tif 000009
【図９】
0004491001.tif 000010
【図１０】
0004491001.tif 000011
【図１１】
0004491001.tif 000012
【図１２】
0004491001.tif 000013
【図１３】
0004491001.tif 000014